(57)【特許請求の範囲】
【請求項１】
３以上のスピーカと映像モニタ装置とが接続可能とされ、上記スピーカにサラウンド音響信号を出力可能な音響装置において、
複数のチャンネルの音声信号出力を上記チャンネル毎に制御する出力制御手段と、
上記複数のチャンネルのそれぞれに対応する最大８個のスピーカ中で使用するスピーカを示す情報を有するスピーカ構成と、上記スピーカ構成を識別するための、サブウーファ以外の使用するスピーカの数および上記サブウーファの使用の有無を表す識別符号とを対応付けて記憶するテーブルと、
上記識別符号を上記映像モニタ装置に表示する表示手段と、
上記表示された識別符号を選択する操作手段と
を備え、
上記操作手段により選択された上記識別符号に基づき上記テーブルを参照し、上記選択された上記識別符号に対応付けられた上記スピーカ構成に基づき上記出力制御手段による上記制御を設定するようにした一括設定モードと、上記スピーカ構成のスピーカ毎に個別に上記出力制御手段による上記制御を設定する個別設定モードと
を有する
ことを特徴とする音響装置。
【請求項２】
請求項１に記載の音響装置において、
上記表示手段は、上記一括設定モードの際には上記個別設定モードによる設定項目を省略するかまたは上記一括設定モードの設定項目より弱めて表示し、上記個別設定モードの際には上記一括設定モードによる設定項目を省略するかまたは上記個別設定モードの設定項目より弱めて表示するようにした
ことを特徴とする音響装置。
【請求項３】
請求項１に記載の音響装置において、
上記一括設定モードによる設定結果に対して上記個別設定モードでさらに設定を変更することができるようにした
ことを特徴とする音響装置。
【請求項４】
請求項１に記載の音響装置において、
上記スピーカ構成は、上記複数のチャンネルにより構成可能な全てのスピーカ構成に対して上記スピーカ構成に含まれる所定のスピーカのサイズに基づく制限が設けられる
ことを特徴とする音響装置。
【請求項５】
請求項１に記載の音響装置において、
上記スピーカ構成は、上記複数のチャンネルにより構成可能な全てのスピーカ構成に対して上記スピーカ構成に含まれる所定のスピーカの有無に基づく制限が設けられる
ことを特徴とする音響装置。
【請求項６】
３以上のスピーカと映像モニタ装置とが接続可能とされ、上記スピーカにサラウンド音響信号を出力可能な音響装置の音響設定方法において、
複数のチャンネルの音声信号出力を上記チャンネル毎に制御する出力制御のステップと、
テーブルに、上記複数のチャンネルのそれぞれに対応する最大８個のスピーカ中で使用するスピーカを示す情報を有するスピーカ構成と対応付けられて記憶された、上記スピーカ構成を識別するための、サブウーファ以外の使用するスピーカの数および上記サブウーファの使用の有無を表す識別符号を上記映像モニタ装置に表示する表示のステップと、
上記表示された識別符号を選択する操作のステップと
を備え、
上記操作のステップにより選択された上記識別符号に基づき上記テーブルを参照し、上記選択された上記識別符号に対応付けられた上記スピーカ構成に基づき上記出力制御のステップによる上記制御を設定するようにした一括設定モードと、上記スピーカ構成のスピーカ毎に個別に上記出力制御のステップによる上記制御を設定する個別設定モードと
を有する
ことを特徴とする音響設定方法。
【発明の詳細な説明】
【技術分野】
【０００１】
この発明は、音場構築のための多数のスピーカを接続する場合に、接続されるスピーカに対する音響設定を容易に行うことができる音響装置および音響設定方法に関する。
【背景技術】
【０００２】
従来でも、例えば映画館などでは、リスナに対して立体的な音場を提供するために、リスナの前方の左右のみならず、リスナに対して前方中央および後方の左右にさらにスピーカを配置し、加えて中低音を専用に再生するサブウーファを配置する所謂サラウンドシステムが用いられていた。この配置の場合、サブウーファに供給される信号の帯域幅が他のスピーカに供給される信号の帯域幅の略１／１０であることから、５．１ｃｈサラウンド、略して５．１ｃｈなどと称される。
【０００３】
近年では、ディスプレイ装置の大画面化や映像再生システムの高画質化、ＢＳ(Broadcasting Satellite)ディジタル放送などのマルチチャンネル音声による放送の実現化などに伴い、家庭においても、このような多チャンネルのサラウンドシステムが用いられるようになってきている。家庭において多チャンネルのサラウンドシステムを実現する場合、１台のオーディオアンプに多チャンネルのスピーカ出力を備え、マルチチャンネルのオーディオ信号の入力に対応した、所謂ＡＶ(Audio Video)音響機器（ＡＶアンプ、ＡＶアンプに対してチューナ機能を持たせたＡＶレシーバなど）が利用されることが多い。
【０００４】
特許文献１には、ＢＳディジタル放送のようなマルチチャンネルで音声が再生される場合に、現在再生されている音声モードを視覚的にユーザに知らせる技術が記載されている。
【特許文献１】特開２００２−２２１９２８号公報
【０００５】
このようなマルチチャンネルの再生機能を有するＡＶ音響機器を使用するに当たって、初期設定として必ず必要なものに、スピーカ設定がある。一般的に用いられるマルチチャンネル再生システムとしては、上述した５．１ｃｈサラウンドシステムがある。これは主に、ＤＶＤ(Digital Versatile Disc)ビデオの音声フォーマットが５．１ｃｈサラウンドであることによる。この５．１ｃｈサラウンドシステムでは、左右のフロントスピーカ（ＦＬ、ＦＲとする）、センタスピーカ（Ｃとする）、左右のサラウンドスピーカ（ＳＬ、ＳＲとする）およびサブウーファ（ＳＷとする）の５台のスピーカが用いられる。通常、リスナに対して、スピーカＦＬ、ＦＲを前方左右、スピーカＣを前方中央、サラウンドスピーカＳＬ、ＳＲを左右または後方左右、ならびに、スピーカＳＷを任意の位置にそれぞれ配置する。
【０００６】
近年では、ＤＯＬＢＹ  ＤＩＧＩＴＡＬ  ＥＸ（登録商標）やｄｔｓ−ＥＳ（登録商標）などの６．１ｃｈの再生のためのサラウンドバックスピーカ（ＳＢとする）に標準で対応しているＡＶ音響機器もあり、さらに、サラウンドバックスピーカをリスナの後方左右の２台（ＳＢＬ、ＳＢＲとする）設けた７．１ｃｈや、サラウンドスピーカを４台（ＳＬ１、ＳＬ２、ＳＲ１、ＳＲ２）設けた９．１ｃｈのシステムに対応したＡＶ音響機器なども存在する。
【発明の開示】
【発明が解決しようとする課題】
【０００７】
このような、多数のスピーカをそれぞれ用途に合わせて接続して再生するようなＡＶ音響機器を使用するに当たって、ユーザは、接続されるスピーカに対する設定を行う必要がある。このスピーカ設定は、そのＡＶ音響機器に接続されるスピーカのチャンネル毎に、例えば、接続されるスピーカの有／無、大／小（全帯域再生用か、中高帯域再生用か）などの項目についてなされ、必要ならば、ＡＶ音響機器における各スピーカの音量および音質バランス、サラウンド環境構築のための音声信号出力の遅延時間などが設定される。したがって、実際に配置されているスピーカの構成に合わせてこの設定を行わないと、最適なマルチチャンネル再生環境を構築することができない。
【０００８】
しかしながら、このスピーカ設定は、配置されているスピーカ毎に状態を決定していくために、多数の項目を一々設定しなければならず、ユーザにとって大変に煩わしいという問題点があった。
【０００９】
２ｃｈ＜５．１ｃｈ＜６．１ｃｈ＜７．１ｃｈ＜９．１ｃｈのように、チャンネル数が増えるのに伴い、設定すべき項目やパターンも増えていく。この設定作業は、スピーカや他の機器の接続などと同様に、ユーザにとって分かりにくいものである。また、ＡＶ音響機器は、通常、ユーザインターフェイスが限定されており、上述したような多数の項目を設定するような場合、設定操作が複雑になってしまうことが多く、誰でも簡単に操作できるものではないという問題点があった。
【００１０】
したがって、この発明の目的は、接続された多数のスピーカに対するスピーカ毎の設定作業を容易に行うことができるような音響装置および音響設定方法を提供することにある。
【課題を解決するための手段】
【００１１】
上述した課題を解決するために、第１の発明は、３以上のスピーカと映像モニタ装置とが接続可能とされ、スピーカにサラウンド音響信号を出力可能な音響装置において、
複数のチャンネルの音声信号出力をチャンネル毎に制御する出力制御手段と、
複数のチャンネルのそれぞれに対応する最大８個のスピーカ中で使用するスピーカを示す情報を有するスピーカ構成と、スピーカ構成を識別するための、サブウーファ以外の使用するスピーカの数およびサブウーファの使用の有無を表す識別符号とを対応付けて記憶するテーブルと、
識別符号を映像モニタ装置に表示する表示手段と、
表示された識別符号を選択する操作手段と
を備え、
操作手段により選択された識別符号に基づきテーブルを参照し、選択された識別符号に対応付けられたスピーカ構成に基づき出力制御手段による制御を設定するようにした一括設定モードと、スピーカ構成のスピーカ毎に個別に出力制御手段による制御を設定する個別設定モードと
を有する
ことを特徴とする音響装置である。
【００１２】
また、第２の発明は、３以上のスピーカと映像モニタ装置とが接続可能とされ、スピーカにサラウンド音響信号を出力可能な音響装置の音響設定方法において、
複数のチャンネルの音声信号出力をチャンネル毎に制御する出力制御のステップと、
テーブルに、複数のチャンネルのそれぞれに対応する最大８個のスピーカ中で使用するスピーカを示す情報を有するスピーカ構成と対応付けられて記憶された、スピーカ構成を識別するための、サブウーファ以外の使用するスピーカの数およびサブウーファの使用の有無を表す識別符号を映像モニタ装置に表示する表示のステップと、
表示された識別符号を選択する操作のステップと
を備え、
操作のステップにより選択された識別符号に基づきテーブルを参照し、選択された識別符号に対応付けられたスピーカ構成に基づき出力制御のステップによる制御を設定するようにした一括設定モードと、スピーカ構成のスピーカ毎に個別に出力制御のステップによる制御を設定する個別設定モードと
を有する
ことを特徴とする音響設定方法である。
【００１５】
上述のように、この発明は、最大８個のスピーカ中で使用するスピーカを示す情報を有するスピーカ構成と、スピーカ構成を識別するための、サブウーファ以外の使用するスピーカの数およびサブウーファの使用の有無を表す識別符号とを対応付けて記憶するテーブルを備え、識別符号を映像モニタ装置に表示し、表示された識別符号を選択する操作を行うようにされ、操作により選択された識別符号に基づきテーブルを参照し、選択された識別符号に対応付けられたスピーカ構成に基づき出力制御を設定するようにした一括設定モードと、スピーカ構成のスピーカ毎に個別に出力制御を設定する個別設定モードとを有するため、一括設定モードや個別設定モードでの設定を、モニタ装置の表示に基づき容易に行うことができる。
【発明の効果】
【００１７】
第１および第２の発明は、上述したように、複数のチャンネルのそれぞれに対応する複数のスピーカ中で使用するスピーカを示す情報を有するスピーカ構成と対応付けられてテーブルに記憶された、スピーカ構成を識別する識別符号を映像モニタ装置に表示し、表示された識別符号を選択する操作を行うようにされ、操作により選択された識別符号に基づきテーブルを参照し、選択された識別符号に対応付けられたスピーカ構成に基づき出力制御を設定するようにした一括設定モードと、スピーカ構成のスピーカ毎に個別に出力制御を設定する個別設定モードとを有するため、一括設定モードや個別設定モードでの設定を、モニタ装置の表示に基づき容易に行うことができる効果がある。
【００１８】
第３および第４の発明は、複数のチャンネルのそれぞれに対応する複数のスピーカ中で使用するスピーカを示す情報を有するスピーカ構成と対応付けられてテーブルに記憶された、スピーカ構成を識別する識別符号およびスピーカ構成によるスピーカ配置の視覚的な表現を映像モニタ装置に表示し、表示された識別符号を選択する操作を行うようにされ、選択された識別符号に基づきテーブルを参照し、選択された識別符号に対応付けられたスピーカ構成に基づき出力制御を設定するようにした一括設定モードを有するため、出力制御の設定をより直感的に行うことができる効果がある。
【発明を実施するための最良の形態】
【００１９】
以下、この発明の実施の一形態について説明する。この発明では、構成可能なスピーカ配置をパターン化し、簡易な名称と対応付けて予めＡＶ音響機器に登録しておく。ユーザは、登録されたパターンの中から実際の配置に対応する構成を選択するだけで、ＡＶ音響機器におけるスピーカ設定を行うことができる。
【００２０】
図１は、ＡＶ音響機器１００の一例の接続を示す。ここでは、ＡＶ音響機器１００は、５．１ｃｈシステムに対応しているものとする。ＡＶ音響機器１００は、フロントパネルに対して、ボリューム操作や入力切換などを操作する操作部１１０が設けられると共に、ＡＶ音響機器１００の各種設定内容などの表示を行う表示部１１１と、諸設定を行うための設定操作部１１２が設けられる。表示部１１１は、例えば数文字乃至十数文字が表示可能な行が１乃至数行で構成される。
【００２１】
ＡＶ音響機器１００は、５．１ｃｈシステムに対応し、６台のスピーカＦＬ、ＦＲ、Ｃ、ＳＬ、ＳＲ、ＳＷが接続可能とされる。スピーカＦＬおよびＦＲは、左右のフロントスピーカである。スピーカＣは、センタスピーカである。スピーカＳＬおよびＳＲは、左右のサラウンドスピーカである。スピーカＳＷは、サブウーファスピーカである。
【００２２】
ＡＶ音響機器１００に、ＡＶ再生機器として例えばＤＶＤ(Digital Versatile Disc)プレーヤ１０２が接続される。また、ＡＶ音響機器１００に、映像モニタ装置１０１が接続される。ＤＶＤプレーヤ１０２で再生された映像信号は、ＡＶ音響機器１００を介して映像モニタ装置１０１に供給され、画面に映出される。ＤＶＤプレーヤ１０２で再生された音声信号は、ＡＶ音響機器１００に供給され、所定に信号処理されて、接続された各スピーカＦＬ、ＦＲ、Ｃ、ＳＬ、ＳＲ、ＳＷに供給され、音声が出力される。ユーザは、各スピーカＦＬ、ＦＲ、Ｃ、ＳＬ、ＳＲ、ＳＷを適切に配置することで、サラウンド音響を楽しむことができる。
【００２３】
このようなシステムにおいて、ユーザがサラウンド音響を快適に楽しむためには、ＡＶ音響機器１００に対し、スピーカＦＬ、ＦＲ、Ｃ、ＳＬ、ＳＲ、ＳＷの構成（配置、接続形態など）に応じてスピーカ設定を行う必要がある。この実施の一形態によるＡＶ音響機器１００は、内部にメモリを有し、構成可能なスピーカの組み合わせパターンに応じたスピーカ設定が予め記憶されている。ＡＶ音響機器１００に対してスピーカ設定を行うのに先立って、ユーザは、自身のシステムのスピーカ構成がＡＶ音響機器１００に予め登録されているどのパターンと一致するか、あるいは近い構成であるかを知る必要がある。表示部１１１の表示に基づき設定操作部１１２を操作することで、メモリに記憶されたパターンから自身のシステムのスピーカ構成に一致する、あるいは近い構成を選択し、スピーカ設定を行うことができる。
【００２４】
ここで、ＡＶ音響機器において構成可能なパターンの種類について、５．１ｃｈシステムを例にとって考える。５．１ｃｈシステムでは、左右のフロントスピーカＦＬ、ＦＲ、センタスピーカＣ、左右のサラウンドスピーカＳＬ、ＳＲおよびサブウーファＳＷが接続可能である。これら全てのスピーカを接続することで、５．１ｃｈシステムが構築される。また、全てのスピーカを接続しないで用いることもできる。この場合には、接続されていないスピーカが対応するチャンネルの信号を無視したり、ＡＶ音響機器１内部の音響処理により、接続されていないスピーカの音響を接続されているスピーカを用いて補ったりする。
【００２５】
また、各スピーカについて、再生される帯域に関連してサイズが定義される。例えば、全帯域再生用のスピーカは、大きい（Ｌａｒｇｅ）スピーカとされ、中高帯域再生用のスピーカは、小さい（Ｓｍａｌｌ）スピーカとされる。
【００２６】
システム構成の際に、より実際的な使用を鑑み、以下のような２つの制限を設ける。
１．左右のフロントスピーカＦＬ、ＦＲ無しの構成は選択不可。
２．フロントスピーカＦＬ、ＦＲが小さいスピーカのとき、センタスピーカＣおよびサラウンドスピーカＳＬ、ＳＲについて、大きいスピーカは選択不可。
【００２７】
この２つの条件を加味した場合、先ず、フロントスピーカＦＬ、ＦＲ、センタスピーカＣ、サラウンドスピーカＳＬ、ＳＲおよびサブウーファＳＷの有無によるスピーカ構成のパターンは、図２に示されるように、８パターン存在する。
【００２８】
さらに、フロントスピーカＦＬ、ＦＲの大小、ならびに、センタスピーカＣおよびサラウンドスピーカＳＬ、ＳＲの有無および大小によるスピーカ構成のパターンが図３に示されるように、２６パターン存在する。なお、図３において、上述の２つの条件から外れるすなわち選択不可のものは、斜線を付して示す。
【００２９】
このパターンのそれぞれに、互いを識別するための識別符号を付与する。この識別符号は、互いを識別可能であればパターンそれぞれ独自の名称でもよいし、「１」、「２」、「３」、・・・や「Ａ」、「Ｂ」、「Ｃ」、・・・といった番号や記号でもよい。この、パターンのそれぞれに付与された識別符号を、以下では、パターン番号と称する。ＡＶ音響機器１の表示部に表示可能な文字数が数文字程度に制限されている場合は、パターン番号を記号や番号で表示するのが表示部を有効に利用でき、好ましい。
【００３０】
これに限らず、それぞれのパターンに対応するスピーカ数を表すように、例えばサブウーファＳＷ以外のスピーカ数と、サブウーファＳＷの有無とでパターン番号を構成してもよい。この場合、一例として、パターン番号を３桁で構成し、３桁の文字のうち最初の桁をサブウーファＳＷ以外のスピーカ数とし、２桁目を例えば「−（ハイフン）」などの区切り記号、３桁目をサブウーファＳＷの有無を「０」または「１」で表すことが考えられる。すなわち、図２および図３の最下段に示されるように、例えば「フロントスピーカＦＬ、ＦＲ有り、センタスピーカＣ有り、サラウンドスピーカＳＬ、ＳＲ有り、サブウーファＳＷ無し」の場合、「５−０」と表される。以下では、パターン番号としてこの３桁の表示を用いるものとする。
【００３１】
上述したように、ＡＶ音響機器１００において、内部に設けられるメモリに、これらパターン番号と、パターン番号に対応したスピーカ設定を行うためのＡＶ音響機器１００内部の各種パラメータなどが関連付けられて記憶される。パターン番号を指定することで、パターン番号に対応付けられた各種パラメータなどがメモリから呼び出され、ＡＶ音響機器１００の各部が所定に設定される。
【００３２】
なお、スピーカの配置位置（横／中間／後方、上方／下方など）の情報も加味すると、構成可能なパターン数は、さらに多くなることはいうまでもない。参考までに、７．１ｃｈシステムの場合のパターンの例を図４〜図７に示す。図４〜図７に示されるように、１９６パターンが構成可能とされる。なお、図４、図５および図６は、それぞれ、センタスピーカＣとして大きいスピーカ、小さいスピーカおよび無しを選択した例、図７は、フロントスピーカＦＬ、ＦＲとして小さいスピーカを選択した例である。これらの例において、サラウンドスピーカＳＬ、ＳＲについては配置位置を横／中間／後方から選択可能とし、サラウンドバックスピーカＳＢＬ、ＳＲＬについては配置位置が後方に固定的とされている。
【００３３】
このような多数のパターンの中からユーザに適切なパターンを選択させるための方法について、概略的に説明する。第１の方法としては、図８に一例が示されるように、例えばＡＶ音響機器１００の取扱説明書などに、代表的なスピーカ構成をパターンで示したテーブルを記載する方法が考えられる。テーブルは、各スピーカの有無や大小などによるスピーカ構成と、スピーカ構成のそれぞれに割り当てられたパターン番号が記述される。ユーザは、テーブルを参照することで、自身のシステムに対応するパターン番号を知ることができる。
【００３４】
第２の方法としては、図９に一例が示されるように、例えばＡＶ音響機器１００の取扱説明書などに、質問に順次答えていくことでパターン番号に到達できるようなチャートを記載する方法が考えられる。ユーザは、自身のスピーカ構成に基づき順を追ってチャートに回答していくことで、自身のスピーカ構成に対応するパターン番号を知ることができる。
【００３５】
このようにして得られたパターン番号は、ユーザによりＡＶ音響機器１００に入力され、ＡＶ音響機器１００に対するスピーカ設定がなされる。例えば、設定操作部１１２を所定に操作し、表示部１１１に図１０Ａに一例が示されるようにスピーカ設定メニューを表示させる。そして設定操作部１１２に対する操作によりスピーカ設定を行うことが選択されると、次に図１０Ｂに一例が示されるように簡略的な設定を行うか否かが表示部１１１に表示される。この表示に基づき設定操作部１１２が操作され、簡略的な設定を行うことが選択されると、図１０Ｃに一例が示されるような、上述の図８や図９の方法で得られたパターン番号を入力する旨が表示部１１１に表示される。この図１０Ｃの例では、パターン番号が表示される位置が点滅表示により強調されている。例えば設定操作部１１２に対する所定の操作によりパターン番号表示部分にパターン番号が順送りで表示されるので、ユーザは、自身のシステムに対応するパターン番号を選択し、選択を決定する。選択が決定されると、決定されたパターン番号に対応する各種パラメータなどがメモリから読み出され、ＡＶ音響機器１００において所定にスピーカ設定がなされる。
【００３６】
次に、この発明の実施の一形態によるスピーカ設定について、より具体的に説明する。図１１は、この発明の実施の一形態に適用可能なＡＶ音響機器１の一例のリアパネルを示す。このように、ＡＶ音響機器１のリアパネルには、ディジタル、アナログのオーディオ信号をそれぞれ入力するための複数の入力端子、マルチチャンネル再生のための複数のスピーカ端子、ビデオ信号やコントロール信号などの入出力のための端子など、多数の端子が配置される。
【００３７】
より具体的に説明すると、このＡＶ音響機器１は、７．１ｃｈサラウンドシステムに対応し、サラウンドバックスピーカＳＢＬ、ＳＢＲそれぞれの端子が設けられるスピーカ端子部１０Ａ、サラウンドスピーカＳＬ、ＳＲそれぞれの端子が設けられるスピーカ端子１０Ｂ、センタスピーカＣの端子が設けられるスピーカ端子部１０Ｃ、フロントスピーカＦＬ、ＦＲそれぞれの端子が設けられるスピーカ端子１０ＤおよびサブウーファＳＷの端子が設けられるスピーカ端子部１０Ｅが配される。なお、スピーカ端子部１０Ｆは、他のフロントスピーカＦＬ、ＦＲが接続されるためのものである。
【００３８】
ユーザは、リスニングルームの状況や実現したい音場環境などに合わせて、スピーカ部端子１０Ａ〜１０Ｅならびにスピーカ端子部１０Ｆから適宜選択してスピーカを接続する。
【００３９】
アナログオーディオ入出力端子部１１は、アナログオーディオ信号について、入力端子と録音用の出力端子とが設けられる。アナログオーディオ信号の場合、サラウンドのそれぞれのチャンネルに対して独立的に入力端子が設けられる。アナログビデオ入力端子部１２は、アナログＡＶ信号について、入力端子と出力端子とが設けられる。
【００４０】
ディジタルビデオ入力端子部１３は、ディジタルビデオ信号の入力端子が設けられる。
【００４１】
モニタ出力端子部１４は、例えばテレビジョン受像機２０であるビデオモニタ装置に対するビデオ信号出力を行う端子が設けられる。この図１１の例では、コンポジットビデオ信号、Ｓビデオ信号およびディジタルビデオ信号に対応したビデオ信号出力端子がそれぞれ設けられる。なお、Ｓビデオ信号は、コンポジットビデオ信号に対し、輝度信号および色信号が分離されたアナログビデオ信号である。コンポーネントビデオ入出力端子部１５は、コンポーネントビデオ信号の入力端子および出力端子が設けられる。
【００４２】
ディジタル入出力端子部１６は、光ケーブルによる光ディジタルオーディオ信号の入出力端子や同軸ケーブルによるディジタルオーディオ信号の入力端子、外部からのコントロール信号の入出力を行う外部コントロール端子が設けられる。ディジタルオーディオ信号の場合、サラウンドの各チャンネルのオーディオ信号は、１本のシリアルディジタル信号に多重化されて供給される。
【００４３】
図１２は、このＡＶ音響機器１の一例の構成を示す。ＡＶ音響機器１は、概略的には、ディジタル信号処理部５０、アナログ信号処理部５５、操作入力部８０、表示器８５およびデータ記憶媒体８６からなり、全体がマイクロコンピュータ（以下、マイコン）６０により制御される。なお、図示は省略するが、マイコン６０は、ＣＰＵ(Central Processing Unit)、ＲＯＭ(Read Only Memory)およびＲＡＭ(Random Access Memory)などを有し、ＲＯＭに予め記憶されたプログラムに基づき、ＲＡＭをワークメモリとして用いてＡＶ音響機器１の制御を行う。上述したパターン番号や、パターン番号に対応したスピーカ設定を行うためのＡＶ音響機器１内部の各種パラメータなどが関連付けられたスピーカ設定のテーブルは、例えばこのＲＯＭに予め記憶される。
【００４４】
操作入力部８０は、ユーザがこのＡＶ音響機器１を操作するための各種の操作手段として、各種キー８１、各種ロータリエンコーダ８２、リモートコントロールコマンダ（図示しない）から送信される赤外線信号の受信部８３などが設けられる。ロータリエンコーダ８２は、音量を調節するためのボリュームノブや、データ入力を行うためのデータノブである。各種キー８１、各種ロータリエンコーダ８２は、操作に対応する制御信号を出力し、この制御信号がマイコン７０に供給される。リモートコントロールコマンダは、これら各種キー８１やロータリエンコーダ８２を用いた操作と略同様の操作が行えるようにされ、操作に対応した制御信号を赤外線信号に変調して送信する。この赤外線信号が受信部８３で受信され、受信信号が復調されて制御信号とされ、マイコン６０に供給される。
【００４５】
表示器８５は、例えばＦＬ管（冷陰極管）などで構成され、マイコン６０から供給される表示制御信号に応じた表示を行う。すなわち、マイコン６０から出力された表示制御信号が図示されないドライバ回路に供給され、ＦＬ管を駆動する信号に変換される。このＦＬ管駆動信号によりＦＬ管において所定の表示がなされる。勿論、表示器８５は、ＦＬ管に限らず、ＬＣＤ(Liquid Crystal Display)やＬＥＤ(Light Emitting Diode)など他の表示素子を用いてもよい。
【００４６】
データ記憶媒体８６は、例えばＥＥＰＲＯＭ(Electrically Erasable Read Only Memory)のような不揮発性の書き換え可能な記憶媒体からなり、マイコン６０からの命令でデータの読み出しおよび書き込みなどが行われる。例えばスピーカ設定のテーブルや、このＡＶ音響機器１の諸設定値がバックアップデータとしてデータ記憶媒体８６に記憶される。
【００４７】
ディジタル信号処理部５０は、ＤＩＲ(Digital Interface Reciever)５１、デコーダ／ＤＳＰ(Digital Signal Processor)５２、ならびに、ＤＡＣ(Digital/Analog Converter)５３からなる。ＤＩＲ５１は、ディジタル入出力端子部１６から入力された光ディジタルオーディオ信号を電気信号によるディジタルオーディオ信号に変換する。ＤＩＲ５１から出力されたディジタルオーディオ信号は、デコーダ／ＤＳＰ５２に供給される。
【００４８】
デコーダ／ＤＳＰ５２は、供給されたディジタルオーディオ信号に対するデコード処理を行うデコーダ部と、デコードされたディジタルオーディオ信号に対して信号処理を行うＤＳＰ部とからなる。
【００４９】
デコーダ／ＤＳＰ５２において、デコーダ部で、供給されたディジタルオーディオ信号が圧縮符号化された信号であれば復号化されてベースバンドのディジタルオーディオ信号とされる。また、復号されたディジタルオーディオ信号が５．１ｃｈシステムなどのマルチチャンネルの信号がシリアルディジタル信号に多重化された信号であれば、チャンネル毎のディジタルオーディオ信号に分離される。
【００５０】
そして、ＤＳＰ部で、分離された複数チャンネルのディジタルオーディオ信号それぞれに対して所定の信号処理がなされる。例えば、データ記憶媒体８６に記憶されたスピーカ設定がマイコン６０に読み出され、この設定情報に基づき複数チャンネルのディジタルオーディオ信号のそれぞれに対して所定の信号処理がなされる。また、接続されるスピーカ数がチャンネルに満たない場合などは、チャンネル間で所定に信号をミックスしてチャンネル数を減らすダウンミックス処理が行われる。逆に、供給される信号のチャンネル数よりも接続されるスピーカ数が多い場合などに、チャンネル数を擬似的に増やすような処理を行うことができる。
【００５１】
デコーダ／ＤＳＰ５２から出力されたディジタルオーディオ信号は、ＤＡＣ５３に供給され、チャンネル毎にアナログオーディオ信号に変換され、アナログ信号処理部５５に供給される。アナログ信号処理部５５は、ボリューム部５６、アンプ５７およびリレー５８を有する。ボリューム部５６は、操作入力部８０のボリュームエンコーダに対する操作に応じたマイコン６０の制御に基づき、供給されたアナログオーディオ信号のレベルをチャンネル毎に調整する。ボリューム部５６でレベル調整されたアナログオーディオ信号は、アンプ５７でスピーカを駆動できるように増幅され、リレー５８を介してそれぞれスピーカ端子１０Ａ〜１０Ｆに導出される。なお、リレー５８は、マイコン６０の制御によりスピーカ出力を遮断するためのものである。例えば、スピーカ設定の内容に応じて、使用しないスピーカへの出力を遮断する。
【００５２】
なお、図１２では１チャンネル分のみが示されているが、実際には、図１３に一例が示されるように、対応するチャンネル数分の回路が設けられる。
【００５３】
ビデオ信号処理部７０は、ディジタルビデオ入力端子部１３、アナログビデオ入力端子部１２およびコンポーネントビデオ入出力端子部１５から入力されたビデオ信号に対して所定の信号処理を施し、モニタ出力端子部１４に導出する。この例では、アナログビデオ信号は、ビデオ信号処理部７０においてディジタルビデオ信号に変換され、ディジタル処理される。出力側でも、アナログビデオ信号出力端に導出される信号は、Ｄ／Ａ変換されて出力される。勿論、ビデオ信号処理部７０におけるビデオ信号処理は、この例に限られるわけではない。
【００５４】
ビデオ信号処理部７０は、ＯＳＤ部７１を有し、マイコン６０の命令に従い、ＯＳＤ(On Screen Displey)用のビデオ信号（以下、ＯＳＤ信号）を生成することができる。ＯＳＤ信号は、他のビデオ信号と同様に、モニタ出力端子部１４に導出される。ＯＳＤ信号は、入力されたビデオ信号と合成することができる。ＯＳＤ信号を入力ビデオ信号と切り換えて出力するようにしてもよい。
【００５５】
このような構成において、ユーザは、リスニングルームに適宜配置されたスピーカをスピーカ出力端子部１０Ａ〜１０Ｆに所定に接続し後述するスピーカ設定を行う。そして、例えば、ＤＶＤ(Digital Versatile Disc)プレーヤ２１のディジタルオーディオ信号出力をディジタル入出力端子部１６に所定に接続すると共に、ビデオ信号出力をアナログビデオ入力端子部１２に所定に接続し、また、モニタ出力端子部１４をモニタ装置（テレビジョン受像機２０）のビデオ入力端子に接続することで、ＤＶＤプレーヤ２１の再生出力による映像および音声を楽しむことができる。
【００５６】
図１２に示される各構成と特許請求の範囲の請求項１における各手段との一例の対応関係を示すと、出力制御手段は、マイコン６０であって、マイコン６０の制御によりアナログ信号処理部５５の一部または全体、ならびに、ディジタル信号処理部５０の一部または全体が制御されることにより、チャンネル毎の出力制御がなされる。また、テーブルは、データ記憶媒体８６に記憶される。操作手段は、操作入力部８０に対応付けられ、特に、設定入力部が対応される。図示されないリモートコントロールコマンダも、操作手段に対応付けることができる。表示手段は、表示器８５が対応付けられる。表示手段は、請求項６においては、さらにＯＳＤ部７１にも対応付けられる。なお、この対応関係は一例であって、これに限定されるものではない。
【００５７】
次に、上述の図８のスピーカ設定パターンのテーブルや、図９のチャートについて、より具体的に説明する。図１４は、実際のリスニングルームにおけるスピーカの配置を絵で示し、各パターンを視覚的に表現したものであって、上述した図８のスピーカ設定パターンのテーブルに対応する。ユーザは、この絵を見て、自身の環境により近いものを選択する。各絵には、対応するパターン番号（「７−１」、「４−０」、「６−１」など）が記述されているので、ユーザは、自分の環境に合致したパターン番号を容易に知ることができる。この場合、絵による表示は、万国共通で理解可能であるという利点がある。
【００５８】
図１５は、パターン番号を選択するための一例のチャートをより具体的に示す。この図１５は、上述した図９に対応するものである。この図１５のチャートは、上述の図９のチャートと同様、ユーザが接続したスピーカの有無をチャートに沿って順に回答していくと、最終的にパターン番号を知ることができるように構成されている。例えば、センタスピーカＣ有り、サラウンドスピーカＳＬ、ＳＲ無し、サブウーファＳＷ有りで、パターン番号「３−１」が得られる。
【００５９】
この図１５の例では、最初にセンタスピーカＣの有無を答え、次にサラウンドスピーカＳＬ、ＳＲやサラウンドバックスピーカＳＢＬ、ＳＢＲの有無を答え、最後にサブウーファＳＷの有無を答える順となっている。勿論、チャートの順番はこの例に限定されず、例えばサブウーファＳＷの有無を先に回答させるようになっていてもよい。
【００６０】
なお、チャート中に記される「Ｃ」、「Ｄ」、「Ｅ」、「Ｆ」、「Ｇ」、「Ｈ」の符号は、上述した図１１中に示される符号と対応するものである。すなわち、上述の図１１とこの図１５のチャートとを共にユーザに提供したときに、ユーザは、ＡＶ音響機器１に接続したスピーカと図１５のチャート中のスピーカとを直接的に対応付けて有無を判断することができる。
【００６１】
ここでは、図１４の絵および図１５のチャートが印刷物としてユーザに提供されるように説明したが、これはこの例に限られない。すなわち、図１４の図面による選択や、図１５のチャートによる選択方法を、ソフトウェア的に実現することは容易である。例えば、ＡＶ音響機器１のフロントパネルにＡＶ音響機器１の状態などを表示するための表示部を設け、この表示部に各スピーカの部屋への配置状態を表示したり、チャートの質問を順に表示するようにできる。特に、図１５に示されるチャートは、少なくとも「Ｃ」、「ＳＬ」、「ＳＲ」、「ＳＢＬ」、「ＳＢＲ」、「ＳＷ」といったスピーカ名と、「ＹＥＳ／ＮＯ」といったスピーカの有無を示す表示が表示可能であればよく、また、操作も、「ＹＥＳ」か「ＮＯ」かを入力できればよいので、実現は極めて容易である。図１４の表示も、スピーカを表すアイコン表示などを用いれば、限られた領域で有効な表現が可能である。
【００６２】
次に、この発明の実施の一形態によるスピーカ設定方法について、より具体的に説明する。スピーカ設定を行うのに先立って、ユーザにより操作入力部８０のキー８１およびエンコーダ８２が所定に操作され、スピーカ設定を行う旨がＡＶ音響機器１に対して指示され、この指示に応じて、スピーカ設定を簡易設定で行うか否かを選択するように、表示器８５に対して表示がなされる。
【００６３】
図１６は、操作入力部８０の中の、スピーカ設定などＡＶ音響機器１に対する各種設定を行う設定入力部の構成の例を示す。図１６Ａは、３個のロータリエンコーダ８２Ａ、８２Ｂおよび８２Ｃが用いられている例である。この例では、ロータリエンコーダ８２Ａがメインメニューの選択用、ロータリエンコーダ８２Ｂがメニュー内での項目選択用、ロータリエンコーダ８２Ｃが各項目における値の選択用とされる。キー８１Ａは、エンターキーであって、このキー８１Ａを操作することで、ロータリエンコーダ８２Ａ、８２Ｂおよび８２Ｃを用いて設定された値を確定するようにできる。確定後は、次の選択画面の表示、設定された値のデータ記憶媒体８６への記憶などの処理が、現在の操作内容に応じて適宜、行われる。
【００６４】
図１６Ｂは、２個のロータリエンコーダ８２Ｂおよび８２Ｃと、２個のキー８１Ａおよび８１Ｂとが用いられている例である。キー８１Ｂは、図１６Ａのロータリエンコーダ８２Ａに対応し、操作する毎にメインメニューが切り換えられる。上段右側に配置されたキー８１Ａは、エンターキーである。また、ロータリエンコーダ８２Ｂは、メニュー内での項目選択用、ロータリエンコーダ８２Ｃは、各項目における値の選択用である。
【００６５】
図１６Ｃは、ロータリエンコーダ８２を用いずに、全てをキー８１で構成した例である。上段にメインメニュー呼び出しキー８１Ｂと、エンターキー８１Ａとが配置される。下段左側に配置される２個一組のキー８１Ｃは、図１６Ａのロータリエンコーダ８２Ｂに対応し、メニュー内での項目選択用のキーであって、「＞」キーで項目が一つずつ送られ、「＜」キーで項目が一つずつ戻される。また、下段右側の２個一組のキー８１Ｄは、図１６Ａのロータリエンコーダ８２Ｃに対応し、値選択用のキーであって、「＋」キーで値が１ずつ進められ、「−」キーで値が１ずつ戻される。
【００６６】
図１７は、表示器８５の構成の例を示す。図１７Ａは、表示器８５がスピーカ配置を表示するための表示部８５Ａと、１行２０文字で２行分の文字表示が可能な表示部８５Ｂとで構成される例である。図１７Ｂは、１５文字の表示が可能とされた表示器８５の例である。また、図１７Ｃは、８文字の表示が可能とされた表示器８５の例である。この図１７Ｃの例では、表示器８５は、８文字が表示可能な表示部８５Ｂ’と２文字が表示可能な表示部８５Ｃとから構成されている。表示部８５Ｃは、例えば表示部８５Ｂ’の表示に対する補助的な表示を行う。なお、表示器８５において、図１７Ｂおよび図１７Ｃの構成にスピーカ配置を表示する表示部８５Ｂを組み合わせてもよい。
【００６７】
図１８は、上述した図１４の絵や図１５のチャートを用いて得たパターン番号に基づきＡＶ音響機器１に対してスピーカ設定を行う際の一例の処理を示すフローチャートである。なお、以下では、特に記載がない場合、設定入力部の構成が上述の図１６Ａによるものであるとし、表示器８５が上述の図１７Ａの構成であるものとする。このフローチャートの処理に先立って、ユーザにより設定入力部のロータリエンコーダ８２Ａが操作され、メインメニューからスピーカセットアップメニューが選択される。そして、ロータリエンコーダ８２Ｂが操作され、スピーカセットアップを簡易的に行うか否かを選択する表示がなされる。
【００６８】
なお、以下では、スピーカセットアップを簡易的に行うモードを、イージーセットアップと称する。詳細は後述するが、イージーセットアップでは、ＡＶ音響機器１に接続された複数のスピーカに対する設定を一括的に行うことができる。一方、接続された複数のスピーカに対する設定を、複数のスピーカのそれぞれに対して個別に行うモードを、ノーマルセットアップと称する。
【００６９】
図１９は、イージーセットアップを行うか否かを選択する際の表示例を示す。ＡＶ音響機器１の表示部８５Ｂに対して、図１９Ｂに一例が示されるように、イージーセットアップを行うか否かの入力を促す表示がなされる。例えばロータリエンコーダ８２Ｃを操作することで、括弧［］内に「ＹＥＳ」または「ＮＯ」が交互に表示される。「ＹＥＳ」に操作すると、イージーセットアップが選択される。この図１９Ｂの表示時に、表示部８５Ａは、図１９Ｃに一例が示されるような表示がなされる。また、モニタ装置に対して図１９Ａに一例が示されるようなＯＳＤ表示がなされる。この図１９の例では、表示部８５ＡおよびＯＳＤにデフォルトの表示がなされているが、これはこの例に限らず、現在の設定を表示してもよい。
【００７０】
ロータリエンコーダ８２Ｂの操作でイージーセットアップが選択されると、最初のステップＳ１０で、マイコン６０によりデータ記憶媒体８６からバックアップデータがロードされ、図２０に示されるように、マイコン６０が有するＲＡＭに一時的に記憶される。そして、ＲＡＭに記憶されたバックアップデータから、スピーカ設定のパターン番号が取得される。すなわち、取得されたパターン番号は、現在ＡＶ音響機器１に対して設定されているスピーカ設定に対応するものである。これはこの例に限らず、例えばデフォルトのスピーカ設定を常にデータ記憶媒体８６に記憶させておき、これをロードするようにしてもよい。
【００７１】
次のステップＳ１１で、表示器８５の表示部８５Ｂに対して取得されたパターン番号が表示される。パターン番号は、例えば図２１Ｂに一例が示されるように、表示部８５Ｂの下段の括弧［］内に３桁の表示（ｘ−ｘ）により表示される。この図２１Ｂの例では、括弧［］内の３桁の表示のうち１桁目が接続されるスピーカ数を示し、３桁目がサブウーファＳＷの有無を示す。また、図２１Ｃに一例が示されるように、表示部８５Ａに対して、パターン番号に対応するスピーカ配置を視覚的に示す表示がなされると共に、図２１Ａに一例が示されるように、パターン番号に対応するスピーカ配置を視覚的に示すＯＳＤ表示がなされる。ＯＳＤ表示においては、スピーカ配置が立体的に表現されており、ユーザは、パターン番号に対応するスピーカ配置を、より直感的に把握することができる。
【００７２】
なお、ＯＳＤ表示は、例えば、マイコン６０からビデオ信号処理部７０内のＯＳＤ部７１に、パターン番号に対応するスピーカ配置を視覚的に示すようなＯＳＤ表示を行うＯＳＤ信号を生成するように指示が出される。この指示に基づき生成されたＯＳＤ信号がモニタ出力端子部１４に導出される。これにより、モニタ装置に所定のＯＳＤ表示がなされる。
【００７３】
なお、この図２１は、スピーカ設定のパターン番号が［７−１］の場合の例である。パターン番号［７−１］では、スピーカＦＬ、ＦＲ、ＳＬ、ＳＲ、ＳＢＬ、ＳＢＲおよびサブウーファＳＷの、計７台のスピーカが用いられる。
【００７４】
この表示器８５の表示や、モニタ装置におけるＯＳＤ表示に基づき、ユーザにより設定操作部が所定に操作され、パターン番号が選択される（ステップＳ１２）。例えば、設定操作部が図１６Ａまたは図１６Ｂの構成ならば、ロータリエンコーダ８２Ｃを所定角度回転させる（ジョグ操作）ことで、また、設定操作部が図１６Ｃの構成ならば、キー８１Ｄの「＋」または「−」キーを１回操作することで、次のパターン番号が選択される。ステップＳ１２のパターン番号選択の操作に合わせて、表示器８５およびＯＳＤ表示が変更される（ステップＳ１３）。なお、パターン番号は、例えば上述したステップＳ１０の処理においてロードされたバックアップデータに含まれる。
【００７５】
ステップＳ１４では、ステップＳ１２で選択されたパターン番号が決定されたか否かが判断される。例えば、エンターキー８１Ａが操作されると、選択されたパターン番号が決定されたものとされる。若し、エンターキー８１Ａが操作されなければ、処理はステップＳ１２に戻され、次のパターン番号が選択される。
【００７６】
すなわち、ロータリエンコーダ８２Ｃを回転し続けることで、次々とパターン番号が選択されることになる。例えば、上述の図２１および図２２〜図２６に例示されるように、ロータリエンコーダ８２Ｃの所定角度の回転毎にパターン番号が次々と選択され、表示器８５の表示およびＯＳＤ表示が選択されたパターン番号に合わせて次々と変更される。また、選択中は、表示部８５Ｂにおいて、パターン番号が表示される部分（図２１Ｂ〜図２６Ｂの例では、下段左端側の括弧表示［］内）を点滅させるなど強調表示すると、選択中の項目内容を容易に把握でき、好ましい。
【００７７】
なお、上述した図２１〜図２６の各パターン番号に対応した表示器８５およびＯＳＤの表示は、抜粋であって、実際にはさらに多数のパターン番号および対応する表示が存在する。図２７は、各パターン番号および対応するＯＳＤ表示の例を示す（繁雑さを避けるために表示器８５の表示を省略する）。ロータリエンコーダ８２Ｃを所定角度回転させる毎に、図２１〜図２６および図２７などの各表示が所定の順番で順次、表示される。
【００７８】
図１８のフローチャートに戻り、ステップＳ１４でエンターキー８１Ａが操作され選択されたパターン番号が決定されたと判断されれば、処理はステップＳ１５に移行し、決定されたパターン番号が保存されると共に、バックアップデータがデータ記憶媒体８６にセーブされる。例えば、マイコン６０のＲＡＭに記憶されているバックアップデータのパターン番号が決定されたパターン番号で上書きされる。そして、図２８に一例が示されるように、このパターン番号が上書きされたバックアップデータがデータ記憶媒体８６に書き戻される。なお、バックアップデータがセーブされても、決定されたパターン番号は、マイコン６０が有するＲＡＭに保持されている。
【００７９】
次のステップＳ１６では、マイコン６０のＲＯＭに予め記憶されているスピーカ設定のテーブルから、決定されたパターン番号に対応するデータがロードされる。図２９は、パターン番号とスピーカの組み合わせとの対応例を示す。フロントスピーカＦＬ、ＦＲ、センタスピーカＣおよびサラウンドスピーカＳＬ、ＳＲのそれぞれについて、大（Ｌ：Ｌａｒｇｅ）／小（Ｓ：Ｓｍａｌｌ）が選択可能とされている。さらに、センタスピーカＣおよびサラウンドスピーカＳＬ、ＳＲについては、用いるか否か（Ｙｅｓ／Ｎｏ）が選択可能とされる。サラウンドバックスピーカについては、２台用いる設定（Ｄ：Ｄｕａｌ）と、１台用いる設定（Ｓｇ：Ｓｉｎｇｌｅ）と、用いない設定（Ｎｏ）とが選択可能とされている。サブウーファＳＷについては、用いるか否か（Ｙｅｓ／Ｎｏ）が選択可能とされている。
【００８０】
上述の選択可能なスピーカの組み合わせのそれぞれに対して、パターン番号が割り当てられる。この例では、パターン番号は、数字、記号および英字からなる３桁で表現され、左端の１桁がスピーカ数、右端の１桁がサブウーファＳＷの有無を示している。中央の１桁は、値が「Ｃ」であるときに、センタスピーカＣが無しの場合に、フロントスピーカＦＬ、ＦＲを用いて擬似的にセンタスピーカＣを構成することを示す。また、パターン番号が重複しているものは、スピーカの組み合わせは異なるが、内部的には同一の処理を行うものである。
【００８１】
スピーカ設定テーブルは、各パターン番号毎に、そのパターン番号が関連付けられたスピーカ組み合わせに対応するシステム設定データが格納される。このシステム設定データは、例えば、各スピーカ出力に対応するオーディオ信号に対し、それぞれ所定の信号処理を施すためのデコーダ／ＤＳＰ５２におけるＤＳＰパラメータ、オーディオ信号のチャンネル数をより少なくミックスする際のダウンミックスデータ、ボリューム部５６に対するボリューム設定データ、ミュート設定データ、リレー５８のＯＮ／ＯＦＦを設定するためのデータなどからなる。
【００８２】
次のステップＳ１７では、ステップＳ１６でロードされたデータがＡＶ音響機器１の各部に反映される。すなわち、ステップＳ１６でロードされたデータに基づき、マイコン６０により、ディジタル信号処理部５０およびアナログ信号処理部５５内の各デバイスに対する制御処理が行われる。
【００８３】
例えば、パターン番号［３−０］が選択決定された場合、スピーカは、フロントスピーカＦＬ、ＦＲおよびセンタスピーカＣしか用いられない。そこで、用いられないスピーカ出力の信号経路において、挿入されたリレー５８が遮断状態に設定され、アンプ５７への入力がミュートされる。また、５．１ｃｈシステムのマルチチャンネルのディジタルオーディオ信号を左右のフロントとセンタの３チャンネルにダウンミックスするように、デコーダ／ＤＳＰ５２に対してＤＳＰパラメータが設定される。また、ボリューム部５６に対して、各スピーカ出力に対する音量バランスが設定される。必要ならば、デコーダ／ＤＳＰ５２に対して、用いられる各チャンネルの遅延や位相、残響などをそれぞれ設定してもよい。
【００８４】
パターン番号に応じたマイコン６０による設定は、上述に限らず、さらに他の項目について行ってもよいし、必ずしも上述の全ての項目について行わなくてもよい。
【００８５】
なお、上述では、表示器８５の表示がスピーカ配置を表示するための表示部８５Ａと、１行２０文字で２行分の文字表示が可能な表示部８５Ｂとで構成されるように説明したが、より簡略的な表示を用いてイージーセットアップによるスピーカ設定を行うことも可能である。なお、ここでは説明のため、設定操作部は、２個のロータリエンコーダ８２Ｂおよび８２Ｃと、２個のキー８１Ａおよび８１Ｂとからなる上述した図１６Ｂの構成であるものとする。
【００８６】
図３０は、上述した図１７Ｂの、１５文字表示が可能とされた表示器８５による一例の設定表示を示し、この場合の一例の設定操作について概略的に説明する。先ず、キー８１Ｂでメインメニューからスピーカセットアップメニューを選択し（図３０Ａ）、その後、ロータリエンコーダ８２Ｂの操作によりイージーセットアップを選択する（図３０Ｂ）。ここで、ロータリエンコーダ８２Ｃでイージーセットアップ「ＹＥＳ」を選択し、ロータリエンコーダ８２Ｂの操作で、現在設定されているパターン番号が表示される（図３０Ｃ）。この状態でロータリエンコーダ８２Ｃを操作すると、パターン番号が順次、選択され、図３０Ｄに示されるように、パターン番号表示部分（図中の斜線の部分）が点滅される。希望のパターン番号が表示されたら、エンターキー８１Ａを操作して、パターン番号を確定させる。
【００８７】
図３１は、上述した図１７Ｃの、８文字表示が可能とされた表示器８５による一例の設定表示を示し、この場合の一例の設定操作について概略的に説明する。先ず、キー８１Ｂでメインメニューからスピーカセットアップメニューを選択し（図３１Ａ）、ロータリエンコーダ８２Ｂの操作によりイージーセットアップを選択する（図３１Ｂ）。ここで、例えばロータリーエンコーダ８２Ｃを操作することで、図３１Ｃに示されるノーマルセットアップとイージーセットアップとを選択することができる。イージーセットアップを選択してロータリエンコーダ８２Ｂを操作すると、図３１Ｄに一例が示されるように、現在設定されているパターン番号が表示部８５Ｂ’および表示部８５Ｃを用いて表示される。この状態でロータリエンコーダ８２Ｃを操作すると、パターン番号が順次、選択され、図３１Ｅに示されるように、パターン番号表示部分（図中の斜線の部分）が点滅される。希望のパターン番号が表示されたら、エンターキー８１Ａを操作して、パターン番号を確定させる。
【００８８】
次に、ノーマルセットアップについて概略的に説明する。上述したように、ノーマルセットアップは、接続された複数のスピーカに対する設定を、複数のスピーカのそれぞれに対して個別に行うセットアップモードである。この実施の一形態では、ノーマルセットアップにおいて、実際の使用環境を鑑み、ユーザが設定可能なパターンに所定に制限を設けている。例えば、以下のような制限が設けられる。
１．サブウーファＳＷを使用する設定の場合、フロントスピーカＦＬ、ＦＲに小さいスピーカを選択できない。
２．サラウンドバックスピーカＳＢＬ、ＳＲＬのサイズ設定は、サラウンドスピーカＳＬ、ＳＲの設定と共通とする。
３．上述の「２」の制限に伴い、サラウンドバックスピーカＳＢＬ、ＳＲＬの設定メニューは、「無し」、「１本」および「２本」の選択のみとする。
【００８９】
また、あるスピーカの設定に応じて、他のスピーカの設定を強制的に決定するパターンが設けられる。例えば、以下のような場合である。
１．サブウーファＳＷを使用しない設定の場合、フロントスピーカＦＬ、ＦＲのサイズを強制的に「大きい」に設定する。すなわち、この場合、フロントスピーカＦＬ、ＦＲのサイズ設定が「大きい」に固定的とされる。
２．フロントスピーカＦＬ、ＦＲのサイズ設定が「小さい」の場合、センタスピーカＣおよびサラウンドスピーカＳＬ、ＳＲのサイズ設定を、強制的に「小さい」に設定する。すなわち、この場合、センタスピーカＣおよびサラウンドスピーカＳＬ、ＳＲのサイズは、「大きい」が設定不可とされる。
３．サラウンドスピーカＳＬ、ＳＲを使用しない設定の場合、サラウンドバックスピーカＳＢＬ、ＳＲＬを強制的に使用しない設定とする。
【００９０】
これらをまとめると、図３２のようになる。図３２において、矢印は、設定を変更することによって影響を与えるスピーカ設定を示す。サブウーファＳＷを使用するか否かの設定は、フロントスピーカＦＬ、ＦＲのサイズ設定、ならびに、センタスピーカＣおよびサラウンドスピーカＳＬ、ＳＲの、使用するか否かの設定とサイズ設定とに影響する。また、フロントスピーカＦＬ、ＦＲのサイズ設定は、センタスピーカＣおよびサラウンドスピーカＳＬ、ＳＲの、使用するか否かの設定とサイズ設定とに影響すると共に、サラウンドバックスピーカＳＢＬ、ＳＲＬの本数設定（使用するか否かを含む）に影響する。
【００９１】
図３３〜図３５は、７．１ｃｈシステムまで対応可能な場合の、スピーカ設定のパターンを一覧して示す。なお、図中、「Ｌ」および「Ｓ」は、それぞれスピーカのサイズ「大きい」および「小さい」を示す。また、センタスピーカＣの「Ｍ」は、フロントスピーカＦＬ、ＦＲで擬似的にセンタスピーカＣを構成することを示す。
【００９２】
図３３〜図３５において、取消線が記入された行は、上述した各制限等を加味して設定不可とされたスピーカ設定パターンである。この例では、各制限を加味しない状態では、設定可能なパターンが１１２通り存在するが、制限等を加味することで、設定可能なパターンが６８通りまで減少される。これにより、スピーカ設定パターンを記憶するためのメモリ容量が節約できると共に、無駄な選択肢が省かれるため、ユーザは、より迅速にスピーカ設定を行うことができる。
【００９３】
ノーマルセットアップの設定手順について説明する。図３６は、ノーマルセットアップ時の表示器８５の一例の表示を示す。この図３６は、上述の図１７Ａによる表示器８５Ｂの、下段の２０桁のみを示す。ノーマルセットアップでは、スピーカ毎に使用するか否か、および、サイズ設定が設定されるため、例えばロータリエンコーダ８２Ｂにより設定すべきスピーカを切り換え、ロータリエンコーダ８２Ｃにより使用するか否か、および、サイズを設定する。
【００９４】
図３６ＡはサブウーファＳＷ設定の例であり、使用するか否かが設定できる。、図３６ＢはフロントスピーカＦＬ、ＦＲの設定の例であり、サイズのみが設定できる。図３６Ｃおよび図３６ＤはそれぞれセンタスピーカＣおよびサラウンドスピーカＳＬ、ＳＲ設定の例であり、使用するか否かと、サイズとが設定できる。図３６ＥはサラウンドバックスピーカＳＢＬ、ＳＲＬ設定の例であり、使用しない場合も含めた本数が設定できる。
【００９５】
各表示において、他のスピーカの設定により強制的に切り換わった設定は、例えば文字表示の輝度を下げる（以下、ダークアウト）などとして、ユーザに認識できるようにすると好ましい。この場合、強制的に設定される前の設定値を、マイコン６０が有するＲＡＭなどバッファリングし、強制設定が解除された場合に記憶された設定値を呼び出すようにする。
【００９６】
例えば、図３７に一例が示されるように、フロントスピーカＦＬ、ＦＲを「小さい（Ｓｍａｌｌ）」に設定した状態で、サブウーファＳＷを「使用しない（ＮＯ）」に設定したとする（ステップＳ１００）。この場合、上述の制限に基づき、フロントスピーカＦＬ、ＦＲが強制的に「大きい（Ｌａｒｇｅ）」に設定される。ユーザが設定したフロントスピーカＦＬ、ＦＲの「小さい」の設定は、バッファリングされる（ステップＳ１０１）。その後、サブウーファＳＷの設定を「使用する（ＹＥＳ）」に戻すと、フロントスピーカＦＬ、ＦＲの設定がバッファから呼び出され、「小さい」に戻される（ステップＳ１０２）。
【００９７】
また、強制設定されてダークアウト表示とされている項目に対して、ロータリエンコーダ８２Ｃの操作などにより設定値を変更するような操作が行われた場合は、ユーザ操作と見なし、ダークアウト表示を解除して通常の表示とし、バッファリングした設定値をクリアする。
【００９８】
例えば、図３８に一例が示されるように、フロントスピーカＦＬ、ＦＲを「小さい」に設定した状態で、サブウーファＳＷを「使用しない」に設定したとする（ステップＳ１１０）。この場合、上述の制限に基づき、フロントスピーカＦＬ、ＦＲが強制的に「大きい」に設定され、ユーザが設定したフロントスピーカＦＬ、ＦＲの「小さい」の設定は、バッファリングされる（ステップＳ１１１）。ここで、ユーザによりフロントスピーカＦＬ、ＦＲを設定するメニューにおいてロータリエンコーダ８２Ｃなどのジョグ操作により設定値が変更されるような操作が行われると、結果的に設定値が変更されたか否かに関わらず、バッファに記憶されたフロントスピーカＦＬ、ＦＲの設定がクリアされ、ダークアウト表示が解除される（ステップＳ１１２）。この状態で、サブウーファＳＷの設定を「使用する」に戻しても、フロントスピーカＦＬ、ＦＲの設定は、「大きい」のままとされる。
【００９９】
このノーマルセットアップにおいても、より簡略的な表示を用いてスピーカ設定を行うことが可能である。なお、ここでは説明のため、設定操作部は、２個のロータリエンコーダ８２Ｂおよび８２Ｃと、２個のキー８１Ａおよび８１Ｂとからなる上述した図１６Ｂの構成であるものとする。
【０１００】
図３９は、上述した図１７Ｂの、１５文字表示が可能とされた表示器８５を用いてノーマルセットアップを行う例である。図３９ＡはサブウーファＳＷ、図３９ＢはフロントスピーカＦＬ、ＦＲ、図３９ＣはセンタスピーカＣ、図３９ＤはサラウンドスピーカＳＬ、ＳＲ、図３９ＥはサラウンドバックスピーカＳＢＬ、ＳＲＬの設定を行う際の表示の例である。図中の［ｘｘｘ］が設定値である。このように、設定内容やスピーカ名の長さなどに応じて、スピーカ名が適宜、短縮されて表示される。
【０１０１】
図４０は、上述した図１７Ｃの、８文字表示が可能とされた表示器８５を用いてノーマルセットアップを行う例である。図４０ＡはサブウーファＳＷ、図４０ＢはフロントスピーカＦＬ、ＦＲ、図４０ＣはセンタスピーカＣ、図４０ＤはサラウンドスピーカＳＬ、ＳＲ、図４０ＥはサラウンドバックスピーカＳＢＬ、ＳＲＬの設定を行う際の表示の例である。この図４０の例では、表示可能な文字数が少ないので、各スピーカ共、設定内容だけが表示されている。ユーザがどのスピーカの設定を行っているかを明確に把握できるように、別途、スピーカ名を表示するのが好ましい。この例では、各スピーカの略称（ＦＬ、ＦＲ、Ｃ、ＳＬ、ＳＲ、ＳＷ）と、当該略称の文字が点灯し文字の枠が点滅されるようになっている。
【０１０２】
図３９および図４０の例でも、例えば、ロータリエンコーダ８２Ｂを操作することで、設定するスピーカが順次切り換えられ、ロータリエンコーダ８２Ｃを操作することで、設定値が選択される。選択された設定値は、その場で確定される。
【０１０３】
なお、イージーセットアップとノーマルセットアップとでは、設定項目が異なるため、それぞれのセットアップモードにおいて、用いられない設定項目をダークアウト表示するか、若しくは、用いられない設定項目の表示をスキップすると、ユーザが設定すべき項目を容易に判別でき、好ましい。図４１は、イージーセットアップおよびノーマルセットアップにおいて、カスタマイズメニューでスピーカ設定を選択した際に、ロータリエンコーダ８２Ｂを操作して順次表示される項目の例を示す。
【０１０４】
図４１Ａの例では、イージーセットアップが選択されている場合には、スピーカ設定パターンの項目が通常表示とされ、サブウーファＳＷ、フロントスピーカＦＬ、ＦＲ、センタスピーカＣ、サラウンドスピーカＳＬ、ＳＲおよびサラウンドバックスピーカＳＢＬ、ＳＲＬの設定項目は、ダークアウト表示とされる。一方、ノーマルセットアップが選択されている場合（イージーセットアップが「ＮＯ」）には、スピーカ設定パターンの項目がダークアウト表示とされ、各スピーカの設定項目が通常表示とされる。
【０１０５】
図４１Ｂの例では、イージーセットアップが選択されている場合には、スピーカ設定パターンの項目は表示されるが、各スピーカの設定項目はスキップされ、表示されない。一方、ノーマルセットアップが選択されている場合（イージーセットアップが「ＮＯ」）には、スピーカ設定パターンの項目がスキップされ、各スピーカの設定項目が順次表示される。
【０１０６】
なお、図４１Ａおよび図４１Ｂにおいて、イージーセットアップを選択するか否かの項目と、フロントディスタンスの項目は、イージーセットアップおよびノーマルセットアップに共通なので、共に通常表示とされる。
【０１０７】
イージーセットアップおよびノーマルセットアップは、共通のスピーカ設定を扱うので、イージーセットアップおよびノーマルセットアップは、常に対応関係にある。つまり、イージーセットアップで設定後、ノーマルセットアップを選択すると、ノーマルセットアップにおける各スピーカの設定値には、イージーセットアップで設定された各スピーカの設定値が反映されている。同様にして、ノーマルセットアップで設定後にイージーセットアップを選択すると、ノーマルセットアップで設定された各スピーカの設定値がイージーセットアップに反映される。この場合には、ノーマルセットアップの設定結果がイージーセットアップにおけるパターン番号に反映されることになる。
【０１０８】
このように、イージーセットアップによる設定結果とノーマルセットアップによる設定結果とを共有することで、ユーザのスピーカ設定に対する知識に応じて設定方法を選択することができる。また、各スピーカそれぞれについて設定を行いたい場合でも、ノーマルセットアップで全項目に対して一々設定するより、イージーセットアップで概略的に設定後、ノーマルセットアップで詳細に設定すると、操作が少なくなり、スピーカ設定が容易になる。
【０１０９】
なお、上述では、全ての設定を、ＡＶ音響機器１のフロントパネルに設けられた設定入力部の各キー８１Ａ、８１Ｂ（８１Ｃ、８１Ｄ）、ならびに、ロータリエンコーダ８２Ａ、８２Ｂ、８２Ｃを用いて行うとして説明したが、これはこの例に限定されない。例えば、このＡＶ音響機器１に対応したリモートコントロールコマンダにスピーカ設定の操作が可能な操作手段を設け、このリモートコントロールコマンダを用いてスピーカ設定を行うようにもできる。リモートコントロールコマンダでは、操作に応じた制御信号を赤外線信号に変調して送信する。この赤外線信号は、操作入力部８０の受信部８３に受信され、元の制御信号に復調されてマイコン６０に供給され、スピーカ設定がなされる。
【０１１０】
また、上述では、パターン番号の入力をロータリエンコーダ８２Ｃなどを用いて順次、切り換えながら選択し入力するように説明したが、これはこの例に限定されない。例えば、数字キーなどを用いて直接的に入力するようにしてもよい。
【０１１１】
以上説明したように、この発明では、サラウンド音響を再生可能なＡＶ音響機器において設定可能なスピーカ設定をパターン番号に関連付けて予めメモリに記憶させている。そのため、ユーザは、所定の方法でパターン番号を入力するだけで、複数のスピーカに対する設定を一度に行うことができる。
【０１１２】
スピーカのチャンネル数が増えれば増えるほど（５．１ｃｈ＜６．１ｃｈ＜７．１ｃｈ＜９．１ｃｈ以上）設定項目数が増えるので、よりチャンネル数が多いものほど大きい効果が得られる。また、チャンネル数が増えてもスピーカー設定パターン数が増加するだけで、設定すべき項目は常に常に１項目なので、スピーカ設定を行った後に、スピーカ数が増減しても設定の変更が容易である。
【０１１３】
この発明の実施の一形態は、コストをかけられない低価格商品、ベーシックモデル、簡単操作を望む初級者向け商品群に適用した場合に効果が大きい。勿論、ハイエンドモデルや上級者向け商品に適用した場合でも、簡単操作という点で極めて有用である。
【０１１４】
また、この発明によれば、スピーカ設定がパターン番号または記号の一つで表現できるので、品質管理面やメンテナンス面などでも有用な効果が得られる。さらに、このパターン番号または記号のみから情報を展開可能なので、スピーカ設定を記憶するデータ記憶媒体の容量削減が可能である。
【０１１５】
さらにまた、この発明を適用することで、リモートコントロールコマンダなどの外部機器から本体のＡＶ音響機器に対してスピーカ設定を行う際についても、パターン番号のみをリモートコントロールコマンダから本体に送信すればよく、多数の設定項目を本体に送信する必要が無いため、データ送信の時間が短縮でき、データ送受信用のコードを削減できる。特に、リモートコントロールコマンダでの操作において、パターン番号のみを入力すれば済み、各スピーカ設定の階層を追ってデータ入力を行う必要が無いので、リモートコントロールコマンダに対してスピーカ設定を行う専用キーを一つだけ設ければよいという効果がある。またそれにより、リスニングしながらのスピーカ設定を行うのが容易になる。
【図面の簡単な説明】
【０１１６】
【図１】ＡＶ音響機器の一例の接続を示す略線図である。
【図２】ＡＶ音響機器において構成可能なパターンの種類の例を示す略線図である。
【図３】ＡＶ音響機器において構成可能なパターンの種類の例を示す略線図である。
【図４】ＡＶ音響機器において構成可能なパターンの種類の参考例を示す略線図である。
【図５】ＡＶ音響機器において構成可能なパターンの種類の参考例を示す略線図である。
【図６】ＡＶ音響機器において構成可能なパターンの種類の参考例を示す略線図である。
【図７】ＡＶ音響機器において構成可能なパターンの種類の参考例を示す略線図である。
【図８】代表的なスピーカの設定パターンのテーブルを概略的に示す略線図である。
【図９】質問に順次答えていくことでパターン番号に到達できるようなチャートを概略的に示す略線図である。
【図１０】スピーカ設定を行う際の表示の例を示す略線図である。
【図１１】この発明の実施の一形態に適用可能なＡＶ音響機器の一例のリアパネルを示す略線図である。
【図１２】この発明の実施の一形態に適用可能なＡＶ音響機器の一例の構成を示すブロック図である。
【図１３】多チャンネルに対応した出力部の一例の構成を示すブロック図である。
【図１４】実際のリスニングルームにおけるスピーカの配置を絵で示し各パターンを視覚的に表現した一例の略線図である。
【図１５】パターン番号を選択するための一例のチャートをより具体的に示す略線図である。
【図１６】スピーカ設定などＡＶ音響機器に対する各種設定を行う設定入力部の構成の例を示す略線図である。
【図１７】表示器の構成の例を示す略線図である。
【図１８】パターン番号に基づきＡＶ音響機器に対してスピーカ設定を行う際の一例の処理を示すフローチャートである。
【図１９】イージーセットアップを行うか否かを選択する際の表示例を示す略線図である。
【図２０】データ記憶媒体からロードされたバックアップデータがＲＡＭに記憶されることを説明するための図である。
【図２１】パターン番号およびパターン番号に対応したスピーカ設定の一例の表示を示す略線図である。
【図２２】パターン番号およびパターン番号に対応したスピーカ設定の一例の表示を示す略線図である。
【図２３】パターン番号およびパターン番号に対応したスピーカ設定の一例の表示を示す略線図である。
【図２４】パターン番号およびパターン番号に対応したスピーカ設定の一例の表示を示す略線図である。
【図２５】パターン番号およびパターン番号に対応したスピーカ設定の一例の表示を示す略線図である。
【図２６】パターン番号およびパターン番号に対応したスピーカ設定の一例の表示を示す略線図である。
【図２７】各パターン番号および対応するＯＳＤ表示の例を示す略線図である。
【図２８】パターン番号が上書きされたバックアップデータがデータ記憶媒体に書き戻されることを説明するための図である。
【図２９】パターン番号とスピーカの組み合わせとの対応例を示す略線図である。
【図３０】１５文字表示が可能とされた表示器を用いた一例の設定操作を説明するための図である。
【図３１】８文字表示が可能とされた表示器を用いた一例の設定操作を説明するための図である。
【図３２】あるスピーカの設定を変更することによって他のスピーカの設定が影響されることを説明するための図である。
【図３３】７．１ｃｈシステムまで対応可能な場合のスピーカ設定のパターンを一覧して示す略線図である。
【図３４】７．１ｃｈシステムまで対応可能な場合のスピーカ設定のパターンを一覧して示す略線図である。
【図３５】７．１ｃｈシステムまで対応可能な場合のスピーカ設定のパターンを一覧して示す略線図である。
【図３６】ノーマルセットアップ時の表示器の一例の表示を示す略線図である。
【図３７】強制設定が解除された場合に以前の設定値を呼び出す一例の処理を示すフローチャートである。
【図３８】強制設定された項目に対して設定値を変更するような操作が行われた場合の一例の処理を示すフローチャートである。
【図３９】１５文字表示が可能とされた表示器を用いた一例の設定操作を説明するための図である。
【図４０】８文字表示が可能とされた表示器を用いた一例の設定操作を説明するための図である。
【図４１】イージーセットアップおよびノーマルセットアップにおいて順次表示される項目の例を示す略線図である。
【符号の説明】
【０１１７】
１，１００  ＡＶ音響機器
５２  デコーダ／ＤＳＰ
５６  ボリューム部
５８  リレー部
６０  マイコン
７０  ビデオ信号処理部
７１  ＯＳＤ部
８０  操作入力部
８１  キー
８２  ロータリエンコーダ
８３  受信部
８５  表示器
８６  データ記憶媒体
【図１】
0004556958.tif 000002
【図２】
0004556958.tif 000003
【図３】
0004556958.tif 000004
【図４】
0004556958.tif 000005
【図５】
0004556958.tif 000006
【図６】
0004556958.tif 000007
【図７】
0004556958.tif 000008
【図８】
0004556958.tif 000009
【図９】
0004556958.tif 000010
【図１０】
0004556958.tif 000011
【図１１】
0004556958.tif 000012
【図１２】
0004556958.tif 000013
【図１３】
0004556958.tif 000014
【図１４】
0004556958.tif 000015
【図１５】
0004556958.tif 000016
【図１６】
0004556958.tif 000017
【図１７】
0004556958.tif 000018
【図１８】
0004556958.tif 000019
【図１９】
0004556958.tif 000020
【図２０】
0004556958.tif 000021
【図２１】
0004556958.tif 000022
【図２２】
0004556958.tif 000023
【図２３】
0004556958.tif 000024
【図２４】
0004556958.tif 000025
【図２５】
0004556958.tif 000026
【図２６】
0004556958.tif 000027
【図２７】
0004556958.tif 000028
【図２８】
0004556958.tif 000029
【図２９】
0004556958.tif 000030
【図３０】
0004556958.tif 000031
【図３１】
0004556958.tif 000032
【図３２】
0004556958.tif 000033
【図３３】
0004556958.tif 000034
【図３４】
0004556958.tif 000035
【図３５】
0004556958.tif 000036
【図３６】
0004556958.tif 000037
【図３７】
0004556958.tif 000038
【図３８】
0004556958.tif 000039
【図３９】
0004556958.tif 000040
【図４０】
0004556958.tif 000041
【図４１】
0004556958.tif 000042